(57)【要約】【課題】  光沢特性が異なる記録紙の間では、色再現を合わせる色信号処理を用いても良好な色再現を得ることはできない。【解決手段】  記録紙の光沢特性の違いを補正量として取得し(S101、S102)、取得した補正量に基づき、画像形成装置の色信号と記録紙の測色色信号との対応関係を示すメディアプロファイルを補正する(S104-S108)。【選択図】  図1
2005286996.tif 000002
【特許請求の範囲】
【請求項１】
第一の記録紙の色再現特性を示すターゲットプロファイルを用いて、入力色信号を前記第一の記録紙の測色色信号に変換するターゲット色変換手段と、
前記第一の記録紙の測色色信号を、第二の記録紙の色再現域内にマッピングするマッピング手段と、
前記第二の記録紙の色再現特性を示すメディアプロファイルを用いて、前記マッピングされた測色色信号を出力色信号に変換するメディア色変換手段と、
前記第一および第二の記録紙の光沢特性の違いを取得する取得手段と、
取得した光沢特性の違いに基づき、前記メディアプロファイルを補正する補正手段とを有することを特徴とする色処理装置。
【請求項２】
前記取得手段は、同じ印象の見えを与える前記第一の記録紙の色と前記第二の記録紙の色を取得し、取得した色の三刺激値の差分を前記光沢特性の違いとして取得することを特徴とする請求項1に記載された色処理装置。
【請求項３】
前記補正手段は、前記メディアプロファイルから取得した測色色信号を三刺激値に変換し、前記三刺激値に前記光沢特性の違いを示す差分を加え、前記差分を加えた三刺激値を測色色信号に変換して、前記メディアプロファイルを補正することを特徴とする請求項2に記載された色処理装置。
【請求項４】
前記メディアプロファイルは、画像形成装置の色信号と、前記色信号に対応する前記第二の記録紙の測色色信号との対応関係を保持する三次元ルックアップテーブルであることを特徴とする請求項1から請求項3の何れかに記載された色処理装置。
【請求項５】
第一の記録紙の色再現特性を示すターゲットプロファイルを用いて、入力色信号を前記第一の記録紙の測色色信号に変換し、前記第一の記録紙の測色色信号を、第二の記録紙の色再現域内にマッピングし、前記第二の記録紙の色再現特性を示すメディアプロファイルを用いて、前記マッピングされた測色色信号を出力色信号に変換する色処理方法であって、
前記第一および第二の記録紙の光沢特性の違いを取得し、
取得した光沢特性の違いに基づき、前記メディアプロファイルを補正することを特徴とする色処理方法。
【請求項６】
第一の記録媒体の色再現を第二の記録媒体の色再現に合わせるための色処理方法であって、
目視により前記第一の記録媒体上の色と前記第二の記録媒体の色の対応を求め、
前記第一の記録媒体上の色を示す色情報と、前記第二の記録媒体上の色を示す色情報との差を求め、
前記第一または第二の記録媒体に対応するプロファイル内の測色色信号を前記求めた差を用いて補正することを特徴とする色処理方法。
【請求項７】
画像処理装置を制御して、請求項5または請求項6に記載された色処理を実現することを特徴とするプログラム。
【請求項８】
請求項7に記載されたプログラムが記録されたことを特徴とする記録媒体。
【発明の詳細な説明】
【技術分野】
【０００１】
本発明は色処理装置およびその方法に関し、例えば、光沢特性が異なる記録紙間で同じ色再現を行うための色処理に関する。
【背景技術】
【０００２】
従来から、記録媒体の種類に応じた色補正を行うものが知られている（特開平8-90838号公報）。また、目標の記録紙の色再現を異なる記録紙で実現するための色処理も考えられている。
【０００３】
図7は異なる記録紙に同じ色再現の画像を記録する色信号処理を説明する図で、目標の記録紙Aにおける色再現を、異なる色再現特性をもつ記録紙Bで実現する場合の色信号処理を示している。図7において、入力色信号R、G、Bは、ターゲット色変換部5001、マッピング部5002およびメディア色変換部5003によってプリンタの色信号Rd、Gd、Bdに変換される。
【０００４】
より詳細には、ターゲット色変換部5001は、入力色信号R、G、Bを目標の記録紙Aの測色色信号Lt、At、Btに変換する。測色色信号は、測色値に関する色信号で、CIE XYZ色空間の色信号、CIE LAB色空間の色信号、カラーアピアランスモデル色空間の色信号などが利用される。ターゲットプロファイル格納部5004には、離散的な入力色信号R、G、Bと、色信号R、G、Bに対応する目標の記録紙Aの測色色信号Lt、At、Btの関係を示す三次元ルックアップテーブル（以下「3DLUT」とする）がターゲットプロファイルとして格納されている。ターゲット色変換部5001は、このターゲットプロファイルを利用して、公知の補間方法によって色信号を変換する。
【０００５】
マッピング部5002は、測色色信号Lt、At、Btを記録紙Bで再現できる測色色信号Ld、Ad、Bdに変換する。記録紙によって再現できる色の範囲は異なるため、記録紙Aでは再現できるが記録紙Bでは再現できない色信号が存在する場合、記録紙Aで再現できるすべての色信号を色再現の印象が変わらないように、記録紙Bで再現できる色信号へ変換する。基本的には、記録紙Bで再現できる色信号には大きな変更を加えずにほぼ同じ色で再現し、記録紙Bで再現できない高彩度部の色信号は、色相を一定にして彩度を圧縮した色信号へ変換する。言い換えれば、記録紙Aの色再現域が記録紙Bの色再現域内に色域圧縮されるようにガマットマッピングする。マッピングパラメータ格納部5005には、彩度の圧縮条件に関するパラメータが格納されている。マッピング部5002は、このパラメータを利用して、公知の色域圧縮方法によって色信号を変換する。
【０００６】
メディア色変換部5003は、測色色信号Ld、Ad、Bdを記録紙Bで再現するためのプリンタの色信号Rd、Gd、Bdに変換する。メディアプロファイル格納部5006には、離散的なプリンタの色信号Rd、Gd、Bdと、色信号Rd、Gd、Bdに対応する記録紙Bの測色色信号Ld、Ad、Bdの関係を示す3DLUTがメディアプロファイルとして格納されている。メディア色変換部5003は、このメディアプロファイルを利用して、公知の補間方法によって色信号を変換する。
【０００７】
以上の色信号処理方法によれば、目標の記録紙Aとは異なる色再現特性をもつ記録紙Bにおいて、記録紙Aの色再現特性を実現することが可能になる。
【０００８】
しかし、記録紙の光沢特性が異なると、上記の色信号処理方法では良好な色再現ができないことがある。これは、測色時の照明と受光の幾何条件と、画像観察時の照明と観察方向の幾何条件が異なることに起因する。画像観察者の目に入射する、プリント画像からの反射光には二つの成分がある。一つは、照明光が記録紙の中に入り紙繊維や色材によって多数回の反射や屈折を繰り返した後に記録紙から出てくる拡散成分、もう一つは、比較的滑らかな記録紙表面からの反射成分（以下「表面反射成分」と呼ぶ）である。
【０００９】
プリンタのプロファイル作成に利用される一般的な測色器は、上記の拡散成分のみを抽出し、表面反射成分は検出しない45-nまたはn-45と呼ばれる幾何条件となっている。表面反射成分の少ない記録紙や表面反射成分が多くとも画像観察時にはその大部分を視野から外せるような記録紙と、表面反射成分が画像観察者の目に入射する記録紙では、測色値は同じであっても、プリント画像の見えは大きく異なることになる。つまり、光沢特性が異なる記録紙の間では、上記の色信号処理方法を用いても良好な色再現を得ることはできない。
【００１０】
【特許文献１】特開平8-90838号公報
【発明の開示】
【発明が解決しようとする課題】
【００１１】
本発明は、光沢特性が異なる記録媒体で同じ色再現を行う色信号を生成することを目的とする。
【課題を解決するための手段】
【００１２】
本発明は、前記の目的を達成する一手段として、以下の構成を備える。
【００１３】
本発明にかかる色処理装置は、第一の記録紙の色再現特性を示すターゲットプロファイルを用いて、入力色信号を前記第一の記録紙の測色色信号に変換するターゲット色変換手段と、前記第一の記録紙の測色色信号を、第二の記録紙の色再現域内にマッピングするマッピング手段と、前記第二の記録紙の色再現特性を示すメディアプロファイルを用いて、前記マッピングされた測色色信号を出力色信号に変換するメディア色変換手段と、前記第一および第二の記録紙の光沢特性の違いを取得する取得手段と、取得した光沢特性の違いに基づき、前記メディアプロファイルを補正する補正手段とを有することを特徴とする。
【００１４】
本発明にかかる色処理方法は、第一の記録紙の色再現特性を示すターゲットプロファイルを用いて、入力色信号を前記第一の記録紙の測色色信号に変換し、前記第一の記録紙の測色色信号を、第二の記録紙の色再現域内にマッピングし、前記第二の記録紙の色再現特性を示すメディアプロファイルを用いて、前記マッピングされた測色色信号を出力色信号に変換する画像処理方法であって、前記第一および第二の記録紙の光沢特性の違いを取得し、取得した光沢特性の違いに基づき、前記メディアプロファイルを補正することを特徴とする。
【００１５】
また、第一の記録媒体の色再現を第二の記録媒体の色再現に合わせるための色処理方法であって、目視により前記第一の記録媒体上の色と前記第二の記録媒体の色の対応を求め、前記第一の記録媒体上の色を示す色情報と、前記第二の記録媒体上の色を示す色情報との差を求め、前記第一または第二の記録媒体に対応するプロファイル内の測色色信号を前記求めた差を用いて補正することを特徴とする。
【発明の効果】
【００１６】
本発明によれば、光沢特性が異なる記録媒体で同じ色再現を行う色信号を生成することができる。
【発明を実施するための最良の形態】
【００１７】
以下、本発明にかかる実施例として色処理（プロファイルの補正）を図面を参照して詳細に説明する。
【実施例１】
【００１８】
［概要］
画像出力装置において、目標の記録紙Aの色再現を、光沢特性が異なる記録紙Bで実現する場合、記録紙Bのプロファイルを補正する。このプロファイルは、画像出力装置の色信号と、色信号に対応する記録紙Bの測色色信号の関係を示す3DLUTであり、記録紙Aと記録紙Bの光沢特性の違いに基づいて、記録紙Bの測色色信号を補正することでプロファイルを補正する。
【００１９】
記録紙Bの測色色信号に対応する三刺激値をX0、Y0、Z0、補正後の測色色信号に対応する三刺激値をX1、Y1、Z1とすれば、同じ印象の見えになる記録紙Aの色と記録紙Bの色から、記録紙Aの色の三刺激値Xa、Ya、Zaと記録紙Bの色の三刺激値Xb、Yb、Zbとを取得し、次式(1)乃至(3)によって、三刺激値X0、Y0、Z0から三刺激値X1、Y1、Z1を求める。
X1 = X0 + (Xa - Xb)      …(1)
Y1 = Y0 + (Ya - Yb)      …(2)
Z1 = Z0 + (Za - Zb)      …(3)
【００２０】
上記の式(1)乃至(3)は、次のように作用して、記録紙Aと記録紙Bの光沢特性の違いの影響を補正する。
【００２１】
上述したように、画像観察者の目に入射する画像からの反射光は、測色値（三刺激値）に関係する拡散光と、測色値に含まれない表面反射光とからなる。従って、記録紙Aにおいて、画像観察者の目に入射する画像からの反射光Qaは次のモデル式で与えられる。
Qa = Ma + Sa            …(4)
ここで、Maは測色値
Saは記録紙Aの光沢特性に基づく表面反射光
【００２２】
同様に、記録紙Bにおいて、画像観察者の目に入射する画像からの反射光Qbは次式で与えられる。
Qb = Mb + Sb            …(5)
ここで、Mbは測色値
Sbは記録紙Bの光沢特性に基づく表面反射光
【００２３】
図7に示す色信号処理方法は、測色値Maと測色値Mbが一致するように色信号を処理するが、表面反射光Saと表面反射光Sbが異なる場合、画像観察者の目に入射する画像からの反射光QaとQbとは一致しないため、記録紙Aと記録紙Bにおいて、同じ見えの色再現を行うことができない。そこで、画像観察者の目に入射する画像からの反射光が一致するように、記録紙Bの測色値Mbを次式で与えられるMb'に変換する。
Mb' = Mb + Sb - Sa        …(6)
【００２４】
上記の色信号処理方法において、記録紙Aの測色値Maと上記のMb'とが一致するように色信号処理を行えば、式(7)がなり立ち、式(4)で与えられるQaと式(5)で与えられるQbが一致する。
Ma = Mb + Sb - Sa        …(7)
【００２５】
すなわち、記録紙Aと記録紙Bにおいて、画像観察者の目に入射する画像からの反射光が一致し、同じ見えの色再現を行うことができる。
【００２６】
式(6)の変換を行うために、同じ印象の見えになる記録紙Aの色の三刺激値と記録紙Bの色の三刺激値を利用する。前者をTa、後者をTbとすると上記式(4)と(5)とにより、式(8)がなり立つ。
Ta + Sa = Tb + Sb      …(8)
【００２７】
式(8)を用いて、式(6)は次のように書き換えられる。
Mb' = Mb + (Ta - Tb)    …(9)
【００２８】
式(9)において、Mbは記録紙Bの測色値であり補正前の三刺激値を示す。TaおよびTbは同じ印象の見えになる記録紙Aの色の三刺激値と記録紙Bの色の三刺激値を示す。Mb'はMbの代わりに用いられる補正後の三刺激値を示し、式(1)乃至(3)と同じ内容を意味する。つまり、式(1)乃至(3)の変換は、式(9)の変換と等しく、したがって、式(6)の変換と等しい。そして、式(6)の変換は、画像観察者の目に入射する画像からの反射光が、記録紙Aと記録紙Bにおいて一致するように作用し、記録紙Bにおいて、記録紙Aの色再現を実現することができる。
【００２９】
以下では、目標になる記録紙Aの色再現を光沢特性の異なる記録紙Bで実現する場合の、記録紙Bのプロファイルを補正する方法を詳細に説明する。記録紙Bのプロファイルは、図7に示すメディアプロファイル格納部5006に格納されるメディアプロファイルのことである。以下で説明するプロファイルの補正方法によって補正されたプロファイルを利用することで、上述した色信号処理方法によって、記録紙Aの色再現を光沢特性の異なる記録紙Bで実現することが可能になる。
【００３０】
［プロファイル］
まず、本実施例におけるプロファイルについて詳細に説明する。
【００３１】
本実施例におけるプロファイルは、離散的なプリンタ色信号Rd、Gd、Bdと、それに対応する記録紙Bの測色色信号Ld、Ad、Bdとの関係を示す3DLUTである。プリンタ色信号Rd、Gd、Bdは、例えば9×9×9格子点における8ビット色信号で、(Rd, Gd, Bd)=(0, 0, 0) (0, 0, 32) (0, 0, 64) … (0, 0, 240) (0, 0, 255) (0, 32, 0) … (255, 255, 255)の729個の色信号である。なお、格子点の9×9×9に限定されるわけではなく任意である。
【００３２】
また、測色色信号Ld、Ad、Bdは、プリンタ色信号Rd、Gd、Bdに対応する記録紙Bの測色値に関する色信号で、CIE XYZ色空間の色信号、CIE LAB色空間の色信号、カラーアピアランスモデル色空間の色信号などが利用される。3DLUT（つまりプロファイル）と公知の補間方法を利用すると、任意のプリンタ色信号Rd、Gd、Bdに対応する測色色信号Ld、Ad、Bdを求めることが可能である。さらに、記録紙Bで再現できる範囲において、任意の測色色信号Ld、Ad、Bdに対応するプリンタ色信号Rd、Gd、Bdを求めることが可能である。
【００３３】
また、CIE XYZ色空間の色信号、CIE LAB色空間の色信号、カラーアピアランスモデル色空間の色信号は相互に変換可能である。よって、プロファイルを用いれば、任意のプリンタの色信号Rd、Gd、Bdに対応する三刺激値Xd、Yd、Zd（CIE XYZ色空間の色信号）を求めることができる。本実施例のプロファイルの補正は、記録紙の光沢特性の違いに基づいて、測色色信号Ld、Ad、Bdを変更するものである。
【００３４】
［構成］
図8はプロファイルの補正を実行する情報処理装置の構成例を示すブロック図である。
【００３５】
CPU 802は、RAM 801をワークメモリに利用して、ROM 803やハードディスク(HD)807に格納されたプログラムを実行し、図7に示す色信号処理（ターゲット色変換部5001、マッピング部5002およびメディア色変換部5003の処理の実現）、後述するプロファイル補正処理を含む各種処理の実行、並びに、システムバス804に接続された各構成の制御を行う。ビデオカード805は、CPU 802の制御に従い、モニタ806に画像を表示する。汎用インタフェイス808は、例えばUSB (Universal Serial Bus)などのシリアルバスで、プリンタ809、キーボード810、マウスなどのポインティングデバイス811を接続可能である。なお、図7に示すターゲットプロファイル格納部5004、マッピングパラメータ格納部5005およびメディアプロファイル格納部5006はHD 807に割当可能である。
【００３６】
［プロファイル補正手順］
図1はプロファイルの補正手順の一例を示すフローチャートで、CPU 802が実行する処理である。
【００３７】
詳細は後述するが、まず、ユーザに記録紙Aと記録紙Bのプリント画像を比較観察させて、同じ印象の見えになる記録紙Aの色と記録紙Bの色を取得して、記録紙Aの色の三刺激値Xa、Ya、Zaと記録紙Bの色の三刺激値Xb、Yb、Zbを得る三刺激値取得処理を実行する(S101)。続いて、補正量dX、dY、dZを次式で求める(S102)。
dX = Xa - Xb
dY = Ya - Yb        …(10)
dZ = Za - Zb
【００３８】
次に、補正量dX、dY、dZの大きさを評価し(S103)、もし同じ色の見えになる記録紙Aの三刺激値Xa、Ya、Zaと記録紙Bの三刺激値Xb、Yb、Zbが等しい場合、記録紙Aと記録紙Bの光沢特性は一致していると考えられ、メディアプロファイルを補正する必要はないから、補正量が充分小さい場合はプロファイルの補正処理を終了する。例えば、補正量dX、dY、dZの要素dYの絶対値が所定の値SHよりも小さい場合（|dY|＜SH）、プロファイル補正処理を終了する。
【００３９】
|dY|≧SHの場合は、記録紙Bのメディアプロファイルから補正前の測色色信号Ld、Ad、Bdを取得し(S104)、公知の色空間変換方法により、取得した測色色信号Ld、Ad、Bdを対応する三刺激値X0、Y0、Z0に変換する(S105)。なお、測色色信号がCIE XYZ色空間の色信号（三刺激値）である場合はステップS105を省略することができる。
【００４０】
次に、三刺激値X0、Y0、Z0とステップS102で求めた補正量dX、dY、dZから、補正後の三刺激値X1、Y1、Z1を次式で求める(S106)。
X1 = X0 + dX
Y1 = Y0 + dY        …(11)
Z1 = Z0 + dZ
【００４１】
次に、公知の色空間変換方法により、補正後の三刺激値X1、Y1、Z1を対応する測色色信号Ld'、Ad'、Bd'に変換する(S107)。なお、メディアプロファイルが格納する測色色信号がCIE XYZ色空間の色信号（三刺激値）である場合はステップS107を省略することができる。
【００４２】
次に、補正後の測色色信号Ld'、Ad'、Bd'を、メディアプロファイル格納部5006の新たなプロファイルに保存し(S108)、記録紙Bのメディアプロファイルのすべての測色色信号の補正が終了したか否かを判断し(S109)、未了であればステップS104からS108の処理を繰り返す。なお、補正前のメディアプロファイルが不要な場合や、いつでも記録紙Bのメディアプロファイルを初期状態に戻せる場合は、光沢特性が考慮されたプロファイル（補正後のプロファイル）を新たなプロファイルとしてメディアプロファイル格納部5006に保存せずに、メディアプロファイル格納部5006に格納された記録紙Bのメディアプロファイルを更新してもよい。
【００４３】
［三刺激値取得処理］
次に、同じ印象の見えになる記録紙Aの色の三刺激値Xa、Ya、Zaと記録紙Bの色の三刺激値Xb、Yb、Zbを取得する処理(S101)を詳細に説明する。
【００４４】
三刺激値取得の前段として各記録紙に画像を印刷し、そのプリント画像をユーザに比較観察させ、同じ印象の見えになる記録紙Aの色と記録紙Bの色の組み合わせを指定させ、その記録紙Aの色と記録紙Bの色を測色することで、同じ印象の見えになる三刺激値を取得することができる。その際の印刷画像は、どのような色の色票でもかまわないが、好適には、表面反射成分の比較が容易な黒色の色票がよい。
【００４５】
以下では、図7のターゲットプロファイル格納部5004に格納される記録紙Aのプロファイルと、記録紙Bのプロファイルを用いて、測色器を使用せずに、記録紙Aの三刺激値Xa、Ya、Zaと、記録紙Bの三刺激値Xb、Yb、Zbを取得する方法を説明する。
【００４６】
図2は本実施例の三刺激値取得手順の一例を示すフローチャートで、CPU 802が実行する処理である。
【００４７】
まず、公知の方法を用いて、記録紙Aのプロファイルと所定の測色色信号リストから、測色色信号リストの各色信号が記録紙Aで再現できるか否かを判断し、測色色信号リストの中で、記録紙Aで再現できる最低明度の測色色信号を求める(S201)。測色色信号リストは、後述する色票選択画像を構成する色信号で、好適には、記録紙の表面反射成分の量に最も深く関係する、明度を変化させた複数の色信号である。例えば、CIE LAB色空間における色信号でa*、b*の値がともに0、L*の値が0から2ずつ増加する20個の色信号(L*, a*, b*)=(0, 0, 0) (2, 0, 0) … (36, 0, 0) (38, 0, 0)である。
【００４８】
次に、公知の方法を用いて、記録紙Bのプロファイルと測色色信号リストから、測色色信号リストの各色信号が記録紙Bで再現できるか否かを判断し、測色色信号リストの中で、該記録紙Bで再現できる最低明度の測色色信号を求める(S202)。
【００４９】
次に、ステップS201で取得した測色色信号とステップS202で取得した測色色信号を比較し、明度の高い色信号をチェック画像の色信号とする。そして、チェック画像の色信号と記録紙Aのプロファイルを用いて、チェック画像を記録紙Aで再現するためのプリンタ809の色信号Rac、Gac、Bacを生成し、チェック画像の色信号と記録紙Bのプロファイルを用いて、チェック画像を記録紙Bで再現するためのプリンタ809の色信号Rbc、Gbc、Bbcを生成する(S203)。
【００５０】
続いて、プリンタ809に色信号Rac、Gac、Bacを送って、記録紙A用のチェック画像を記録紙Aに形成し、プリンタ809に色信号Rbc、Gbc、Bbcを送って、記録紙B用のチェック画像を記録紙Bに形成する(S204)。図3はチェック画像が形成された記録紙の一例を示す図で、各記録紙の色票部301および302は、その比較が行い易いように記録紙の端に印刷され、適度な大きさを有する。また、好適には、記録紙Aのチェック画像か記録紙Bのチェック画像かの識別が簡易に行えるように、図3に一例を示すように、記録紙の端部に記録紙の種別を記録することが望ましい。なお、チェック画像を形成する際は、モニタ806に、順に「プリンタに記録紙Aをセットし、[OK]ボタンを押してください」「プリンタに記録紙Bをセットし、[OK]ボタンを押してください」などのメッセージを表示し、ユーザに指定の記録紙のセットを促し、[OK]ボタンが押されるなどして指定の記録紙がセットされたことを確認した後、プリンタ809に色信号を出力する。
【００５１】
勿論、予め記録紙AおよびBにチェック画像を形成しておくこともできる。その場合、「チェック画像が印刷された記録紙AおよびBを用意してください」などのメッセージを表示した後、ステップS205へ処理を進めればよい。
【００５２】
次に、記録紙Aのチェック画像と記録紙Bのチェック画像のうち、ユーザが、より暗いと感じるチェック画像の記録紙の情報（評価結果）を取得する(S205)。
【００５３】
図4はユーザの評価結果を取得するためのユーザインタフェイスの一例を示す図である。ユーザは、二つのチェック画像を比較して、図4に示すラジオボタンの何れかを押した後、[OK]ボタンを押すことで、より暗いと感じる記録紙の情報を入力する。なお、ラジオボタン401は記録紙Aのチェック画像がより暗いと感じられる時に、ラジオボタン402は記録紙Bのチェック画像がより暗いと感じられる時に、ラジオボタン403は両チェック画像がほぼ同じ明るさであると感じられる時に、それぞれ選択されるラジオボタンで、ラジオボタン401乃至403の内の一つが選択される。勿論、ラジオボタンの選択は、[OK]ボタン404を押すまで修正可能である。
【００５４】
OKボタン404が押されると、記録紙Aのチェック画像がより暗いと判断（ラジオボタン401が選択）された場合は、プリンタ809により記録紙Aに色票選択画像を形成する(S206)。また、記録紙Bのチェック画像がより暗いと判断（ラジオボタン402が選択）された場合は、プリンタ809により記録紙Bに色票選択画像を形成する(S207)。つまり、公知の方法を用いて、記録紙AまたはBのプロファイルと測色色信号リストから、測色色信号リストの各色信号を記録紙AまたはBで再現するためのプリンタ809の色信号が生成され、その色信号をプリンタ809に出力することで記録紙AまたはBに色票選択画像を生成する。なお、記録紙に色票選択画像を形成する際は、モニタ806に「プリンタに記録紙A（またはB）をセットし、[OK]ボタンを押してください」などのメッセージを表示し、ユーザに指定の記録紙のセットを促し、[OK]ボタンが押されるなどして指定の記録紙がセットされたことを確認した後、プリンタ809に色信号を出力する。
【００５５】
勿論、予め記録紙AおよびBに色票選択画像を形成しておくこともできる。その場合は、ステップS206またはS207で「色票選択画像が印刷された記録紙□を用意してください」（本実施例の場合、□にはAまたはBが入る）などのメッセージを表示した後、ステップS208へ処理を進めればよい。
【００５６】
図5は色票選択画像を説明する図である。色票選択画像は、測色色信号リストの色を配した色票画像群である。各色票は、比較が行い易いように適度な大きさを有し、図5に示すように、各色票には後述する選択のために番号（例えば1から20）が付与されている。
【００５７】
次に、記録紙Aのチェック画像がより暗いと判断された場合は、ステップS204で形成した記録紙Bのチェック画像と、ステップS206で形成した記録紙Aの色票選択画像をユーザに比較観察させる。また、記録紙Bのチェック画像がより暗いと判断された場合は、ステップS204で形成した記録紙Aのチェック画像と、ステップS207で形成した記録紙Bの色票選択画像をユーザに比較観察させる。そして、チェック画像に明るさが最も近い色票を選択させる(S208)。つまり、選択された色票の色と、チェック画像の色が、同じ印象の見えを与える記録紙Aの色と記録紙Bの色の組み合わせである。
【００５８】
図6はユーザの選択結果を取得するユーザンタフェイスの一例を示す図である。ユーザは、「記録紙□のチェック画像に最も見えの近い色票を選択してください」（本実施例の場合、□にはAまたはBが入る）などのメッセージに従い、チェック画像と色票選択画像の各色票を比較して、チェック画像に明るさが最も近い色票の番号に対応するラジオボタンを選択する。つまり、図6に示すラジオボタン601乃至620は色票選択画像の各色票に対応し（つまり、図5の色票の番号と図6のラジオボタンの番号が対応する）、それらラジオボタンの内の一つが選択される。勿論、ラジオボタンの選択は、[OK]ボタン621を押すまで修正可能である。また、図6に示すユーザインタフェイスは、色票の指定を容易かつ確実にするため、ラジオボタンと各色票の配置を対応させている。
【００５９】
ステップS208の終了後、または、ステップS205で両チェック画像がほぼ同じ明るさであると感じられ、ラジオボタン403が選択されると、記録紙Aの三刺激値Xa、Ya、Za、記録紙Bの三刺激値Xb、Yb、Zbを求める(S209)。ただし、ステップS209の処理は、ステップS205の選択により異なる。
【００６０】
記録紙Aのチェック画像がより暗いと判断（ラジオボタン401が選択）された場合は、ステップS208で選択された色票の測色色信号から記録紙Aの三刺激値Xa、Ya、Zaを求め、記録紙Bのチェック画像の測色色信号から記録紙Bの三刺激値Xb、Yb、Zbを求める。
【００６１】
また、記録紙Bのチェック画像がより暗いと判断（ラジオボタン402が選択）された場合は、ステップS208で選択された色票の測色色信号から記録紙Bの三刺激値Xb、Yb、Zbを求め、記録紙Aのチェック画像の測色色信号から記録紙Aの三刺激値Xa、Ya、Zaを求める。
【００６２】
また、ステップS205で両チェック画像がほぼ同じ明るさと判断（ラジオボタン403が選択）された場合は、記録紙Aの三刺激値Xa、Ya、Zaと記録紙Bの三刺激値Xb、Yb、Zbは等しく、チェック画像の測色色信号から、公知の色空間変換方法によって求められる。なお、この場合は、測色的に一致した色票が同じ印象の見えを与えるため、記録紙Aと記録紙Bの光沢特性は同じであり、プロファイルを補正する必要は無い。
【００６３】
上記では、図7に示すメディアプロファイル格納部5006に格納されたメディアプロファイルを補正する例を説明したが、ターゲットプロファイル格納部5004に格納されるターゲットプロファイルを補正することも当然可能である。この場合、上記のプロファイル補正方法において記録紙Aと記録紙Bを入れ替えればよい。
【００６４】
また、上記の実施例では記録紙を用いているが、例えばOHP用のフィルムなど、他の記録媒体を用いても構わない。
【００６５】
このように、光沢特性の異なる記録媒体で見えの一致する色の対を取得し、当該色の対の三刺激値の差を光沢特性の違いとして取得し、当該光沢特性の違いに基づいてプロファイル内の測色色信号を補正することで、光沢特性の異なる記録媒体間で同じ色再現を行うことができる。
【実施例２】
【００６６】
以下、本発明にかかる実施例2の色処理を説明する。なお、実施例2において、実施例1と略同様の構成については、同一符号を付して、その詳細説明を省略する。
【００６７】
実施例1では、記録紙Aと記録紙Bのプリント画像をユーザに比較観察させて、色票選択画像の中から最も印象の近い見えの記録紙Aの色および記録紙Bの色の対を取得し、取得した記録紙Aの色の三激値Xa、Ya、Za、および、取得した記録紙Bの色の三刺激値Xb、Yb、Zbから式(10)によって補正量dX、dY、dZを求めた。
【００６８】
しかし、一般には印象が一致する色が選択画像の中に含まれないことも多い。とくに、実施例1の色票選択画像の色票は明度のみを変化させているため、明るさの印象が一致する色票を選択することはできても、色味の印象が一致しないことがある。この場合、実施例1に基づくプロファイルの補正によって、記録紙Aの画像と記録紙Bの画像における明るさの印象は一致するが、色味の印象は一致しないことになる。明度に加えて彩度や色相も変化させた多数の色票を用意し、それら多数の色票の中から、明るさに加えて色味の印象も一致する色票を選択させることもできるが、出力画像の増大が懸念されるし、ユーザは大量の色票の中から印象の一致する色票を選択しなければならず、ユーザに与える負荷の増大も懸念される。
【００６９】
実施例2では、このような問題を解決する色処理を説明する。
【００７０】
一般に、画像を観察する者の目に入射する画像表面からの反射光の色味は、照明光の色度に依存する。そこで、実施例2では、補正量dX、dY、dZの色度点に照明光の色度点を利用する。すなわち、ユーザには明るさの印象が一致する色票を選択させて、明るさに関係する輝度の補正値dYを取得し、dXおよびdZは照明光の色度点(xs, ys)から式(12)によって算出する。
dX = dY×xs/ys
dZ = dY×(1 - xs - ys)/ys      …(12)
【００７１】
照明光の色度点には、プロファイルに格納された測色色信号が想定する光源の色度点を用いる。例えば、プロファイルに格納された測色色信号が標準光源D50における三刺激値XYZや、当該XYZから算出されるLab色空間の色信号である場合、照明光の色度点にD50の色度点(0.3457, 0.3585)を利用する。また、より好適には、画像を観察する環境の照明光の色度点をユーザから取得して、その色度点を利用すればよい。
【００７２】
実施例2におけるプロファイル補正手順は実施例1と同じであるから、その詳細説明は省略するが、実施例2においては、図1に示すステップS102の補正量の算出における補正量dX、dZを式(12)によって算出する。
【００７３】
このように、実施例2の色処理によれば、補正量dX、dY、dZの色度点として、照明光の色度点を利用することで、色票選択画像の色票中にチェック画像の色と色味の印象が一致する色票が含まれていないような場合でも、記録紙Aの画像と記録紙Bの画像の印象が一致するようにプロファイルを補正することができる。
【実施例３】
【００７４】
以下、本発明にかかる実施例3の色処理を説明する。なお、実施例3において、実施例1、2と略同様の構成については、同一符号を付して、その詳細説明を省略する。
【００７５】
実施例1、2で説明した色処理は、光沢特性が異なる記録紙Aと記録紙Bにおいて同じ色再現を行うための色処理であるが、この色処理は、記録紙Aのプロファイル内に格納された測色色信号の測色条件と、記録紙Bのプロファイル内に格納された測色色信号の測色条件とが異なる場合に、記録紙Aと記録紙Bにおいて同じ色再現を行う目的にも利用することができる。
【００７６】
例えば、記録紙Aのプロファイル内に格納された測色色信号の測色条件が積分球を利用したD-nと呼ばれる照明と受光の幾何条件で、記録紙Bのプロファイル内に格納された測色色信号の測色条件がd-nと呼ばれる幾何条件である場合、記録紙Aと記録紙Bは、測色色信号が同じであったとしても見えが異なる。そのため、背景技術で説明した色信号処理を用いても良好な色再現を得ることができない。
【００７７】
実施例3では、このような問題を解決する色処理を説明する。
【００７８】
照明と受光の幾何条件の違いは、表面反射成分の扱い方に最も大きな違いがある。積分球を利用したD-nと呼ばれる幾何条件で測定を行う場合、測定値に表面反射成分を含む。一方、前述した45-nやn-45と呼ばれる幾何条件や、d-nと呼ばれる幾何条件は、測定値に表面反射成分を含まない。そのため、光沢の高い試料を幾何条件D-nで測定すると、幾何条件d-nで測定した場合よりも明度の高い測定値が得られる。言い換えれば、幾何条件D-nで測定した記録紙Aの測色色信号と、幾何条件d-nで測定した記録紙Bの測色色信号が等しい場合、見た目には、記録紙Aよりも記録紙Bの方が明るく感じられる。
【００７９】
記録紙Aと記録紙Bで同じ印象の色再現を行うには、表面反射成分の扱い方の違いを取得し、プロファイル内に格納された測色色信号を補正する必要がある。これは、上述した光沢特性の異なる記録紙で同じ印象の色再現を得るための条件と同じであり、実施例1、2に示した色処理によって実現することができる。すなわち、図2に示した手順によって、同じ見えとなる記録紙Aの色の三刺激値および記録紙Bの色の三刺激値を取得し、図1に示した手順によって、プロファイル内の測色色信号を補正する。
【００８０】
このように、実施例3の色処理によれば、測定条件の異なるプロファイル間で見えが一致する色の対を取得し、当該色の対の三刺激値の差を表面反射成分の扱い方の違いとして取得し、表面反射成分の扱い方の違いに基づいてプロファイル内の測色色信号を補正することで、測定条件が異なるプロファイル間で同じ色再現を行うことができる。
【００８１】
［変形例］
実施例1、2では、記録紙Aと記録紙Bのプリント画像をユーザに比較観察させて、光沢特性の違いを取得して補正量を求めるが、反射へイズや鏡面光沢度など光沢に関わる測定値に基づいて光沢特性の違いを取得して補正量を求めてもよい。この場合、予め測定値と補正量の関係を求めておき、記録紙Aと記録紙Bの光沢に関わる測定値から、補正量を求める。
【００８２】
［他の実施例］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００８３】
また、本発明の目的は、前述した実施例の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施例の機能を実現することになり、そのプログラムコードを記憶した記憶媒体は本発明を構成することになる。また、コンピュータが読み出したプログラムコードを実行することにより、前述した実施例の機能が実現されるだけでなく、そのプログラムコードの指示に基づき、コンピュータ上で稼働しているオペレーティングシステム(OS)などが実際の処理の一部または全部を行い、その処理によって前述した実施例の機能が実現される場合も含まれることは言うまでもない。
【００８４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施例の機能が実現される場合も含まれることは言うまでもない。
【００８５】
本発明を上記記憶媒体に適用する場合、その記憶媒体には、先に説明したフローチャートに対応するプログラムコードが格納されることになる。
【図面の簡単な説明】
【００８６】
【図１】プロファイルの補正手順の一例を示すフローチャート、
【図２】三刺激値取得手順の一例を示すフローチャート、
【図３】チェック画像が形成された記録紙の一例を示す図、
【図４】ユーザの評価結果を取得するためのユーザインタフェイスの一例を示す図、
【図５】色票選択画像を説明する図、
【図６】ユーザの選択結果を取得するユーザンタフェイスの一例を示す図、
【図７】異なる記録紙に同じ色再現の画像を記録する色信号処理を説明する図、
【図８】プロファイルの補正を実行する情報処理装置の構成例を示すブロック図である。
【図１】
2005286996.tif 000003
【図２】
2005286996.tif 000004
【図３】
2005286996.tif 000005
【図４】
2005286996.tif 000006
【図５】
2005286996.tif 000007
【図６】
2005286996.tif 000008
【図７】
2005286996.tif 000009
【図８】
2005286996.tif 000010